(57)【要約】【課題】  電子機器の静電気による誤動作や破壊を防止でき、良好な照光を行うことができる板ばね付きシート及びこれを用いたスイッチ装置を提供する。【解決手段】  金属薄板からなり反転可能なドーム部２ａを有する板ばね２と、可撓性を有し下面側に板ばね２が貼り付けられた絶縁シート１とを備え、電子機器の回路基板６上に積層されて、絶縁シート１の上面側が電子機器の回路基板６に設けられた発光部材９によって照光される板ばね付きシートであって、絶縁シート１の上面側に、導電部３を設けると共に、この導電部３の上面に光拡散シート４を設けた。【選択図】        図１
2006127799.tif 000002
【特許請求の範囲】
【請求項１】
金属薄板からなり反転可能なドーム部を有する板ばねと、可撓性を有し下面側に前記板ばねが貼り付けられた絶縁シートとを備え、電子機器の回路基板上に積層されて、前記絶縁シートの上面側が電子機器の回路基板に設けられた発光部材によって照光される板ばね付きシートであって、前記絶縁シートの上面側に、導電部を設けると共に、この導電部の上面に光拡散シートを設けたことを特徴とする板ばね付きシート。
【請求項２】
前記導電部は、前記絶縁シートの下面側に貼り付けられた前記板ばねの貼着部を除いた領域に設けたことを特徴とする請求項１記載の板ばね付きシート。
【請求項３】
前記絶縁シートを、光拡散シートで形成し、前記板ばねの貼着部の上面も光拡散可能としたことを特徴とする請求項２記載の板ばね付きシート。
【請求項４】
前記導電部を、金属箔を貼り付けることにより形成したことを特徴とする請求項１乃至３の何れかに記載の板ばね付きシート。
【請求項５】
前記導電部を、前記絶縁シートの上面側あるいは前記光拡散シートの下面側に導電性材を印刷することにより形成したことを特徴とする請求項１乃至３の何れかに記載の板ばね付きシート。
【請求項６】
前記導電部に導電性粘着剤を塗布し、前記絶縁シートと前記光拡散シートとを該導電性粘着剤によって貼り合わせると共に、前記導電部の一端を延出して接地部を設けたことを特徴とする請求項１乃至３の何れかに記載の板ばね付きシート。
【請求項７】
前記導電部を、導電性粘着剤で形成したことを特徴とする請求項１乃至３の何れかに記載の板ばね付きシート。
【請求項８】
前記絶縁シート、及び前記導電部と前記光拡散シートに、発光部材が収容される収容孔を貫通形成し、前記絶縁シートの貫通孔を前記導電部の貫通孔よりも小径に形成したことを特徴とする請求項１乃至７の何れかに記載の板ばね付きシート。
【請求項９】
前記導電部の前記接地部を除いた外周部の形状を、前記絶縁シートの外周部の形状よりも小さく形成したことを特徴とする請求項６、又は７の何れかに記載の板ばね付きシート。
【請求項１０】
請求項１乃至９の何れかに記載の板ばね付きシートと、固定接点と発光部材が設けられ前記板ばね付きシートが積層される回路基板と、前記板ばね付きシート上に載置され、前記発光部材により照光されると共に、前記板ばねを反転させて前記固定接点に接離させる押釦とを備えたことを特徴とするスイッチ装置。
【発明の詳細な説明】
【技術分野】
【０００１】
本発明は、押釦の押圧操作によって接点の切り換えを行なう板ばね付きシート及びこれを用いたスイッチ装置に関する。
【背景技術】
【０００２】
従来の板ばね付きシートを用いたスイッチ装置の構造としては、絶縁性フィルムからなるシート部とこのシート部の下面に設けられた粘着剤とを有する粘着シートと、上面が粘着剤で貼着され、変形可能なバネ性を有する金属板からなるドーム状の可動接点と、粘着シートに貼り合わされて可動接点の下面を覆うセパレータとを備え、シート部の上面を押釦で押圧することにより、可動接点を反転させて、回路基板上に設けられた固定接点と接離させる構成のものが知られている（例えば、特許文献１参照）。
【０００３】
この従来の板ばね付きシート用いたスイッチ装置の構造を図５に示す。
図５は従来のスイッチ装置の板ばね付きシートの分解斜視図であり、同図において、複数個の可動接点３１は、ステンレス材やリン青銅等のバネ性を有するドーム状の薄板の金属からなり、頂部からの押圧力に対して変位可能になっている。そして、その中央部にはドーム状内に突出して形成された接点部を有している。
【０００４】
粘着シート３２は、ポリエステル樹脂等からなる白色（有色）で透明度の低い（不透明な）フィルム材からなり、若干の伸縮性（可撓性）を有するシート状のシート部３３と、このシート部３３に設けられた複数個の孔３２ａと、この孔３２ａを除くシート部３３の下面に設けられた粘着剤３４とから構成されている。そして、可動接点３１は、マウンターによりその上面が粘着シート３２の粘着剤３４に貼着されている。
【０００５】
セパレータ３７は、粘着シート３２と略同形状の透明なポリエステルフィルムからなり、その上面には剥離剤が塗ってあり、離型処理がなされている。そして、セパレータ３７は、その上下面に貫通して形成された複数個の孔３７ａを有している。また、セパレータ３７は、粘着シート３２の粘着剤３４によって、粘着シート３２の孔３２ａと孔３７ａが対向し、重なり合うように、粘着シート３２の下面に貼着されている。そして、このセパレータ３７は、粘着シート３２とで可動接点３１を挟持すると共に、セパレータ３７は可動接点３１のドーム状内にゴミ、異物が入らないように、可動接点３１の下面を保護することによって、可動接点付シート３８を構成している。
【０００６】
なお、粘着シート３２の孔３２ａは、図示せぬ発光ダイオード（ＬＥＤ）等の発光素子を露出させるための孔であり、可動接点１を押圧操作する押釦である操作体（図示せず）、即ち、可動接点付シート３８が採用される携帯電話機等の操作体（押釦）を、白色系をしたシート部３３で光を効率よく反射させて照光できる。
【０００７】
【特許文献１】特開２００１−１６０３３４号公報
【発明の開示】
【発明が解決しようとする課題】
【０００８】
電子機器の回路基板上に組み込まれた板ばね付きシートは、操作パネルに配置された押釦によって押圧操作されるものとなる。この時、操作パネルと押釦との隙間から操作者の人体に帯電した静電気が飛び込み、電子機器が誤動作したり、内部回路のＩＣが破壊する可能性があった。
このため、シートの上面にアルミ箔等を積層して静電気防止用の導電部を形成することが考えられるが、しかしながら、シート上面にアルミ箔を積層して導電部を形成した場合には、光拡散しにくく、発光部材による押釦の照光ムラが生じやすいという問題があった。また、シート上面に銀やカーボンを印刷して導電部を形成した場合には、反射率が低く、良好な照光機能を得ることができないという問題があった。
【０００９】
従って、本発明は上記した問題点を解決し、電子機器の静電気による誤動作やＩＣ破壊を防止でき、良好な照光を行うことができる板ばね付きシート及びこれを用いたスイッチ装置を提供することを目的とする。
【課題を解決するための手段】
【００１０】
上記課題を解決するために本発明では第１の解決手段として、金属薄板からなり反転可能なドーム部を有する板ばねと、可撓性を有し下面側に前記板ばねが貼り付けられた絶縁シートとを備え、電子機器の回路基板上に積層されて、前記絶縁シートの上面側が電子機器の回路基板に設けられた発光部材によって照光される板ばね付きシートであって、前記絶縁シートの上面側に、導電部を設けると共に、この導電部の上面に光拡散シートを設けた構成とした。
【００１１】
また、第２の解決手段として、前記導電部は、前記絶縁シートの下面側に貼り付けられた前記板ばねの貼着部を除いた領域に設けた構成とした。
また、第３の解決手段として、前記絶縁シートを、光拡散シートで形成し、前記板ばねの貼着部の上面も光拡散可能とした構成とした。
また、第４の解決手段として、前記導電部を、金属箔を貼り付けることにより形成した構成とした。
また、第５の解決手段として、前記導電部を、前記絶縁シートの上面側あるいは前記光拡散シートの下面側に導電性材を印刷することにより形成した構成とした。
また、第６の解決手段として、前記導電部に導電性粘着剤を塗布し、前記絶縁シートと前記光拡散シートとを該導電性粘着剤によって貼り合わせると共に、前記導電部の一端を延出して接地部を設けた構成とした。
【００１２】
また、第７の解決手段として、前記導電部を、導電性粘着剤で形成した構成とした。
また、第８の解決手段として、  前記絶縁シート、及び前記導電部と前記光拡散シートに、発光部材が収容される収容孔を貫通形成し、前記絶縁シートの貫通孔を前記導電部の貫通孔よりも小径に形成した構成とした。
また、第９の解決手段として、前記導電部の前記接地部を除いた外周部の形状を、前記絶縁シートの外周部の形状よりも小さく形成した構成とした。
また、第１０の解決手段として、第１乃至第９解決手段の何れかに記載の板ばね付きシートと、固定接点と発光部材が設けられ前記板ばね付きシートが積層される回路基板と、前記板ばね付きシート上に載置され、前記発光部材により照光されると共に、前記板ばねを反転させて前記固定接点に接離させる押釦とを備えたスイッチ装置の構成とした。
【発明の効果】
【００１３】
上述したように、本発明の板ばね付きシートは、金属薄板からなり反転可能なドーム部を有する板ばねと、可撓性を有し下面側に板ばねが貼り付けられた絶縁シートとを備え、電子機器の回路基板上に積層されて、絶縁シートの上面側が電子機器の回路基板に設けられた発光部材によって照光される板ばね付きシートであって、絶縁シートの上面側に、導電部を設けると共に、この導電部の上面に光拡散シートを設けたことから、絶縁シートの上面側に導電部を挟んで光拡散シートを設けたので、板ばね付きシートの下面側への静電気の飛び込みを防止でき、電子機器の静電気による誤動作やＩＣ破壊を防止して、絶縁シートの最上面の光拡散シートによって良好な照光が可能となる。
【００１４】
また、導電部は、絶縁シートの下面側に貼り付けられた板ばねの貼着部を除いた領域に設けたことから、反転時の板ばねの動作感触を阻害することがなく、また、導電部の導電物質の剥離を防止できる。
また、絶縁シートを、光拡散シートで形成し、板ばねの貼着部の上面も光拡散可能としたことから、板ばね付きシート上面の全面で発光部材からの光を光拡散させることができるので、均一な照光が可能となる。
また、導電部を、金属箔を貼り付けることにより形成したことから、乾燥等の後処理が不要となり、組立が容易となる。
また、導電部を、絶縁シートの上面側あるいは光拡散シートの下面側に導電性材を印刷することにより形成したことから、印刷によりシートに直接、導電部を形成できるので、構成が簡単で安価にできる。
また、導電部に導電性粘着剤を塗布し、絶縁シートと光拡散シートとを該導電性粘着剤によって貼り合わせると共に、導電部の一端を延出して接地部を設けたことから、導電性粘着剤によって、板ばね付きシートを電子機器のフレームや回路基板のグランドに簡単に接続して接地することができる。
【００１５】
また、導電部を、導電性粘着剤で形成したことから、導電部自体を導電性粘着剤で形成できるので、部品点数を削減でき安価にできる。
また、絶縁シート、及び導電部と光拡散シートに、発光部材が収容される収容孔を貫通形成し、絶縁シートの貫通孔を導電部の貫通孔よりも小径に形成したことから、導電部と回路基板の実装面との沿面距離を大きく（長く）できるので、より確実に静電気の飛び込みを防止できる。
また、導電部の接地部を除いた外周部の形状を、絶縁シートの外周部の形状よりも小さく形成したことから、導電部と回路基板の実装面との沿面距離を大きく（長く）できるので、板ばね付きシートの端面から回路基板への静電気の飛び込みを防止できる。
また、本発明のスイッチ装置は、第１乃至第９解決手段の何れかに記載の板ばね付きシートと、固定接点と発光部材が設けられ板ばね付きシートが積層される回路基板と、板ばね付きシート上に載置され、発光部材により照光されると共に、板ばねを反転させて固定接点に接離させる押釦とを備えたことから、電子機器の静電気による誤動作やＩＣ破壊を防止でき、良好な照光を行うことができる板ばね付きシートを備えたスイッチ装置を提供できる。
【発明を実施するための最良の形態】
【００１６】
以下、本発明の実施の形態を図１乃至図４に示す。図１は本発明の実施例に係る板ばね付きシートを用いたスイッチ装置を示す断面図、図２は本発明の板ばね付きシートを用いたスイッチ装置の他の接地例を示す断面図、図３は本発明の板ばね付きシートを示す平面図、図４は本発明の板ばね付きシートを送りシートに複数個貼り付けた状態を示す平面図である。
【００１７】
図１及び図２において、本発明の板ばね付きシート及びこれを用いたスイッチ装置は、シート状に形成された絶縁シート１と、この絶縁シート１の下面側に貼り付けられ、反転可能なドーム部２ａを有し可動接点を構成する板ばね２と、前記絶縁シート１の上面側に設けられた導電部３、及び光拡散シート４と、前記板ばね２に対向して配設された固定接点５を有し、前記絶縁シート１が積層される回路基板６と、前記絶縁シート１と前記回路基板６の間に介在され、前記板ばね２が収容される収容孔７ａを有するスペーサシート７と、前記絶縁シート１上に載置され、前記板ばね２を反転させて前記固定接点５に接離させる押釦８と、押釦８を照光する発光部材９から主に構成されている。
【００１８】
前記絶縁シート１は、可撓性を有する合成樹脂等の絶縁材で、例えば矩形状のシート状に形成されており、その下面には粘着剤が一面に塗布されている。この絶縁シート１の下面側には、前記板ばね２が粘着剤によって貼り付けられている。この板ばね２は、例えば円形状の導電性の金属薄板からなり、中央に反転可能なドーム部２ａを有し、可動接点としての機能を備えている。
【００１９】
また、前記絶縁シート１の上面側には、前記絶縁シート１の下面側に貼り付けられた、前記板ばね２の貼着部を除いた領域に、導電部３を挟んで光拡散シート４が積層して設けられている。前記導電部３は、例えばアルミ等の金属からなる薄板状の金属箔を、前記絶縁シート１の上面に接着剤等により貼り付けることにより形成されており、該金属箔の上面に、同じく接着剤等により前記光拡散シート４が貼り付けられて積層されている。
【００２０】
この場合、前記光拡散シート４は、合成樹脂等の絶縁材で、同じく矩形状のシート状に形成されており、光拡散作用が良好な乳白色あるいは白色の材料から形成されている。そして、前記導電部３及び前記光拡散シート４には、前記板ばね２の貼着位置に対応して、該板ばね２の外周径よりやや大径となる孔部３ａ、４ａが形成されている。そして、該孔部３ａ、４ａから、前記板ばね２が下面に貼着された前記絶縁シート１の上面が露出している。
このように、前記導電部３を、前記絶縁シート１の下面側に貼り付けられた前記板ばね２の貼着部を除いた領域に設けるようにしたので、反転時の前記板ばね２の動作感触を阻害することがなく、また、前記導電部３の導電物質の剥離を防止できるものとなっている。
【００２１】
尚、この場合、前記絶縁シート１の露出部だけが、光拡散作用を有していないが、前記絶縁シート１を、前記光拡散シート４と同じ光拡散作用を有する光拡散シートで形成し、前記板ばね２の貼着部の上面も光拡散可能としても良い。この場合には、板ばね付きシート上面の全面で発光部材９からの光を光拡散させることができるので、均一な照光が可能となる。
【００２２】
また、前記導電部３を、アルミ等の金属箔を貼り付けることにより形成しているので、この場合、乾燥等の後処理が不要となり、組立が容易となっている。
また、前記導電部３は、アルミ等の金属箔以外の導電性材料で形成しても良く、例えば、カーボンや銀ペースト等の導電性材料を、前記絶縁シート１の上面側あるいは前記光拡散シート４の下面側に印刷することにより形成することができる。また、前記導電部３には粘着剤が塗布されており、該粘着剤により前記絶縁シート１と前記光拡散シート４とが貼り合わされている。
このように、前記導電部３を、前記絶縁シート１の上面側あるいは前記光拡散シート４の下面側に導電性材料を印刷することにより形成した場合には、印刷により前記絶縁シート１や前記光拡散シート４に、直接、前記導電部３を形成することができるので、構成が簡単で安価にできるものとなる。
【００２３】
この場合、本実施例では、前記導電部３の下面には、導電性粘着剤１０が一面に塗布されており、該導電性粘着剤１０により前記絶縁シート１と前記光拡散シート４とが貼り合わされて積層されている。そして、前記導電部３の一端が外周より延出して形成されており、この延出部により静電気を外部へ導く接地部３ｂが形成されている。
また、前記導電部３自体を、導電性粘着剤で形成して、前記絶縁シート１と前記光拡散シート４の間に挟み込んで形成するようにしても良い。この場合には、前記光拡散シート４の一端を外周より延出して、該延出部４ｂの下面に導電性粘着剤を塗布することで前記接地部３ｂを形成するようにすれば良い。
【００２４】
このように、前記導電部３に、前記導電性粘着剤１０を塗布して、前記絶縁シート１と前記光拡散シート４とを前記導電性粘着剤１０によって貼り合わせると共に、前記導電部３の一端を延出して前記接地部３ｂを設けるようにしたので、前記導電性粘着剤１０によって、板ばね付きシートを電子機器のフレーム１１や回路基板６のグランド部に簡単に接続して接地することができるものとなる。
また、前記導電部３を、導電性粘着剤で形成することにより、前記導電部３自体を導電性粘着剤で形成できるので、部品点数を削減でき安価にできるものとなる。
【００２５】
また、前記絶縁シート１の下面側には、合成樹脂等の絶縁材でシート状に形成されたスペーサシート７が、前記絶縁シート１の下面側に塗布された粘着剤によって貼り付けられている。このスペーサシート７には、上下に貫通した円形の収容孔７ａが設けられており、この収容孔７ａには前記絶縁シート１の下面に貼り付けられた前記板ばね２が収容されている。そして、前記絶縁シート１、前記板ばね２、前記導電部３、前記光拡散シート４、前記スペーサシート７により本発明の板ばね付きシートが構成されている。
【００２６】
また、前記スペーサシート７の下面側には、前記収容孔７ａを除く一面に粘着剤が塗布されている。そして、前記スペーサシート７の下面側には、搬送時等に、板ばね付きシートの下面側に貼り付けられて前記板ばね２を保護すると共に、組立時に、位置決めや送りなどに使用された後、剥離される、剥離シートを構成する送りシート１２とカバーシート１３が貼り付けられている（図４参照）。
【００２７】
また、前記絶縁シート１とスペーサシート７、及び前記導電部３と光拡散シート４には、ＬＥＤ等からなる発光部材９が収容される収容孔１ａ、７ｂ、及び３ｃ、４ｃが貫通形成されている。尚、この場合に、前記絶縁シート１とスペーサシート７に設けられた前記収容孔１ａ、７ｂは、前記導電部３と光拡散シート４に設けられた前記収容孔３ｃ、４ｃに対して、小径となるように形成されている。このために、前記導電部３と、ＩＣ等の電子部品が搭載される回路基板６の実装面との沿面距離を大きく（長く）とることができるので、より確実に静電気の飛び込みを防止できるものとなる。
【００２８】
また、本発明の板ばね付きシートは、前記導電部３に設けられた前記接地部３ｂ（光拡散シート４の延出部４ｂ）を除いた該導電部３の外周部の形状は、前記絶縁シート１の外周部の形状に対して、小さくなるように形成されている。このように、前記導電部３の外周部の形状を、前記絶縁シート１の外周部の形状よりも小さく形成したことから、同じく、前記導電部３と回路基板６の実装面との沿面距離を大きく（長く）できるので、板ばね付きシートの端面（前記導電部３）から、回路基板６への静電気の飛び込みを防止できるものとなっている（図３参照）。
【００２９】
図３は、本実施例の前記板ばね２を、やや大きめの前記絶縁シート１の下面側に、複数個並設した状態の板ばね付きシートを示している。この場合には、前記板ばね２が、前記絶縁シート１に複数個マトリックス状に並設されて形成されたものとなっている。そして、前記スペーサシート７には、前記板ばね２の数に対応して複数個の収容孔７ａが設けられており、また、前記絶縁シート１の上面側に積層された前記導電部３及び光拡散シート４には、前記板ばね２の貼着位置に対応して前記孔部３ａ、４ａが複数個設けられている。尚、本実施例では、中央の６箇所に、ＬＥＤ等からなる発光部材９が収容される収容孔１ａ、７ｂ、３ｃ、４ｃが形成されている。
【００３０】
また、図４は、前記絶縁シート１に前記板ばね２を複数個並設した状態の板ばね付きシートを、更に、送りシート１２とカバーシート１３に複数個貼り付けた状態を示している。この状態で板ばね付きシートが、送りシート１２とカバーシート１３と共に自動機などの送り機構で順送りされ、送りシート１２に形成されたガイド穴１２ａなどにより、適宜、位置決めされて、個々のステージにおいて、適宜、板ばね付きシートを剥離シートを構成する送りシート１２とカバーシート１３から剥離して、回路基板６の所望の位置に貼り付けて固着するものとなっている。
【００３１】
本発明では、図１に示すように、板ばね付きシートが、中央固定接点５ａ及び周辺固定接点５ｂを有する固定接点５、及びＬＥＤ等の発光部材９が設けられた、前記回路基板６上に積層されると共に、この板ばね付きシート上に押釦８が載置されて、スイッチ装置が構成されるものとなっている。そして、前記押釦８が押圧された際には、前記板ばね２が貼着された前記絶縁シート１の上面側が、前記キートップの下面によって押し下げられることにより、前記板ばね２のドーム部２ａが反転して、前記固定接点５の中央固定接点５ａと周辺固定接点５ｂが前記板ばね２を介して導通し、スイッチがオン状態となる。
また、前記発光部材９から照射した光が、板ばね付きシートの最上面に積層された前記光拡散シート４によって、反射性、拡散性が向上して有効に拡散されることにより、前記押釦８が良好に照光されるものとなる。
【００３２】
また、図１に示すように、本発明では、前記絶縁シート１の上面側には前記導電部３が設けられており、この導電部３の一端が延出されて接地部３ｂが形成されている。そして、該接地部３ｂが前記導電部３の下面に設けられた前記導電性接着剤１０によって前記回路基板６のグランド部（図示せず）に貼着されることにより電気的に接続されている。このため、例え、操作者の人体に帯電した静電気が、電子機器の操作パネルと前記押釦８との隙間から板ばね付きシートに飛んだとしても、前記導電部３の接地部３ｂを介して前記回路基板６のグランド部に落ちるものとなっている。
また、図２に示すように、前記導電部３の接地部３ｂは、前記回路基板６のグランド部に接続する代わりに、前記押釦８が配置された電子機器のフレーム１３に電気的に接続するようにしても良い。
【００３３】
尚、本発明の上記実施例においては、前記絶縁シート１の上面側に貼り付けられて積層される、前記導電部３及び前記光拡散シート４に、前記板ばね２が貼着される貼着位置に対応して、該板ばね２の外周径よりやや大径となる前記孔部３ａ、４ａを形成するようにしたが、前記導電部３や光拡散シート４には、前記孔部３ａ、４ａを設けずに、連続した平面から形成するようにしても良い。この場合には、前記光拡散シート４、前記導電部３、前記絶縁シート１を介して前記押釦８の押圧力が前記板ばね２に伝達されるものとなる。そして、前記光拡散シート４の上面の全面で光拡散させることができる。
また、前記導電部３に、前記導電性粘着剤１０を塗布して、該導電性粘着剤１０により前記導電部３の接地部３ｂを、前記回路基板６のグランド部や前記フレーム１１に貼着することで電気的に接続するようにしたが、圧接等の適宜な方法を用いることにより、導電性接着剤１０を使用しないで接続することができる。
【００３４】
本発明の上記実施例によれば、可撓性を有し下面側に前記板ばね２が貼り付けられた前記絶縁シート１の上面側が、電子機器の前記回路基板６に設けられた前記発光部材９によって照光される板ばね付きシートであって、前記絶縁シート１の上面側に、前記導電部３を設けると共に、この導電部３の上面に前記光拡散シート４を設けたことから、前記絶縁シート１の上面側に前記導電部３を挟んで前記光拡散シート４を設けたので、板ばね付きシートの下面側への静電気の飛び込みを防止でき、電子機器の静電気による誤動作やＩＣ破壊を防止して、前記絶縁シート１の最上面の前記光拡散シート４によって良好な照光が可能となっている。
そして、電子機器の静電気による誤動作やＩＣ破壊を防止でき、良好な照光を行うことができる板ばね付きシートを備えたスイッチ装置を提供できるものとなる。
【図面の簡単な説明】
【００３５】
【図１】本発明の実施例に係る板ばね付きシートを用いたスイッチ装置を示す断面図である。
【図２】本発明の板ばね付きシートを用いたスイッチ装置の他の接地例を示す断面図である。
【図３】本発明の板ばね付きシートを示す平面図である。
【図４】本発明の板ばね付きシートを送りシートに複数個貼り付けた状態を示す平面図である。
【図５】従来のスイッチ装置の板ばね付きシートを示す分解斜視図である。
【符号の説明】
【００３６】
１：絶縁シート
１ａ：収容孔
２：板ばね（可動接点）
２ａ：ドーム部
３：導電部
３ａ：孔部
３ｂ：接地部
３ｃ：収容孔
４：光拡散シート
４ａ：孔部
４ｂ：延出部
４ｃ：収容孔
５：固定接点
５ａ：中央固定接点
５ｂ：周辺固定接点
６：回路基板
７：スペーサシート
７ａ：収容孔
７ｂ：収容孔
８：押釦
９：発光部材（ＬＥＤ）
１０：導電性粘着剤
１１：フレーム
１２：送りシート
１２ａ：ガイド穴
１３：カバーシート
【図１】
2006127799.tif 000003
【図２】
2006127799.tif 000004
【図３】
2006127799.tif 000005
【図４】
2006127799.tif 000006
【図５】
2006127799.tif 000007